(57)【要約】【課題】振動を受ける場合でも故障し難い回転灯１を提供する。【解決手段】本回転灯１は、ベース４に取り付けられ透光性を有する有蓋筒状のグローブ５と、このグローブ５の頂部２８に取り付けられグローブ５内に収容されたＬＥＤ９と、ベース４により支持されグローブ５内に収容されておりグローブ５の軸方向Ａ４に延びる回転中心軸線Ｃ１の周りに回転駆動される反射鏡１０と、ＬＥＤ９に給電するための導電部材１３とを有する。導電部材１３は、グローブ５の内周２９に近接して配置され、グローブ５の軸方向Ａ４に延びており、両端部４９，５０がグローブ５に取り付けられている。グローブ５の内周２９には、導電部材１３の長手方向中間部７１と係合し、この中間部７１がグローブ５の径方向内方Ｒ４１に移動することを規制する規制部材７０が設けられている。【選択図】図１
2010003566.tif 000002
【特許請求の範囲】
【請求項１】
ベースと、
このベースに取り付けられ透光性を有する有蓋筒状のグローブと、
このグローブの頂部に取り付けられ上記グローブ内に収容された光源と、
上記ベースにより支持され上記グローブ内に収容されており、上記グローブの軸方向に延びる回転中心軸線の周りに回転駆動され、上記光源からの光を周囲に向けて反射する反射鏡と、
上記グローブの内周に近接して配置され、上記グローブの軸方向に延びており、一端部が上記グローブに取り付けられ、他端部が上記グローブおよび上記ベースのいずれかに取り付けられており、上記光源に給電するための導電部材と、
上記グローブの上記内周に設けられ、上記導電部材の長手方向中間部と係合し、上記中間部が上記グローブの径方向内方に移動することを規制する規制部材と、を備えることを特徴とする回転灯。
【請求項２】
上記規制部材は、上記導電部材の上記中間部に引っ掛け係合することを特徴とする、請求項１に記載の回転灯。
【請求項３】
上記導電部材の上記中間部および上記規制部材の少なくとも一方は、上記グローブの上記頂部に向かうにしたがって上記グローブの径方向外方へ傾斜する傾斜面を含むことを特徴とする、請求項１または２に記載の回転灯。
【請求項４】
上記導電部材は、板状部材を含むことを特徴とする、請求項１から３の何れか１項に記載の回転灯。
【請求項５】
上記導電部材の上記他端部は、上記グローブの開口側の端部に上記ベース側からねじ止めにより固定される固定部を有することを特徴とする、請求項１から４の何れか１項に記載の回転灯。
【請求項６】
上記グローブの上記内周には、当該グローブの径方向外方への上記導電部材の移動を規制する受け部が設けられていることを特徴とする、請求項１から５の何れか１項に記載の回転灯。
【請求項７】
上記グローブの上記内周には、当該グローブの周方向に関する上記導電部材の移動を規制する周方向規制部材が設けられていることを特徴とする、請求項１から６の何れか１項に記載の回転灯。
【請求項８】
上記周方向規制部材は、上記グローブの上記内周から上記グローブの径方向内方へ突出するリブを含むことを特徴とする、請求項７に記載の回転灯。
【請求項９】
上記リブは、上記導電部材よりも、上記グローブの径方向内方に突出していることを特徴とする、請求項８に記載の回転灯。
【請求項１０】
上記導電部材の上記他端部は、端子部を含み、
上記ベースに取り付けられ上記導電部材の上記端子部と当接する端子金具がさらに備えられ、
上記グローブと上記ベースとが互いに連結されるのに伴って、上記導電部材の上記端子部と上記端子金具とが、互いに電気的に接続できるように、上記導電部材の上記端子部と上記端子金具とが互いに対向して配置され且つ互いに当接していることを特徴とする、請求項１から９の何れか１項に記載の回転灯。
【発明の詳細な説明】
【技術分野】
【０００１】
本発明は、回転灯に関する。
【背景技術】
【０００２】
回転灯は、光源と、この光源からの光を反射し回転駆動される反射鏡とを有している。反射鏡は、上下方向に沿って延びる回転中心軸線の周りに回転し、光源からの光を周囲に向けて反射するようになっている。光源、反射鏡は、グローブおよびベースの内部に収容されている。グローブおよびベースは、ともに筒状をなしている。グローブが、ベースの上方に配置されている。
【０００３】
また、グローブの頂部に、光源が配置される場合がある。この場合、光源への給電は、リード線を介してなされる。このリード線は、ベースからグローブの頂部へと延びている（例えば、特許文献１参照。）。
【特許文献１】特開２００６−３１８８８５号公報
【発明の開示】
【発明が解決しようとする課題】
【０００４】
特許文献１では、リード線の長手方向に関する当該リード線の中間部は、固定されていないので、回転灯が振動したときに、上記中間部が位置ずれする虞がある。その結果、上記中間部と反射鏡とが干渉する虞がある。ひいては、この干渉に起因して回転灯が故障し易くなる。
そこで、本発明の目的は、故障し難い回転灯を提供することである。
【課題を解決するための手段】
【０００５】
本発明の回転灯は、ベースと、このベースに取り付けられ透光性を有する有蓋筒状のグローブと、このグローブの頂部に取り付けられ上記グローブ内に収容された光源と、上記ベースにより支持され上記グローブ内に収容されており、上記グローブの軸方向に延びる回転中心軸線の周りに回転駆動され、上記光源からの光を周囲に向けて反射する反射鏡と、上記グローブの内周に近接して配置され、上記グローブの軸方向に延びており、一端部が上記グローブに取り付けられ、他端部が上記グローブおよび上記ベースのいずれかに取り付けられており、上記光源に給電するための導電部材と、上記グローブの上記内周に設けられ、上記導電部材の長手方向中間部と係合し、上記中間部が上記グローブの径方向内方に移動することを規制する規制部材と、を備えることを特徴とする（請求項１）。本発明によれば、例えば、回転灯が振動したときに、上記導電部材と上記反射鏡との干渉が防止されるので、この干渉に起因した故障が生じる虞はない。従って、回転灯を故障し難くできる。
【０００６】
また、本発明において、上記規制部材は、上記導電部材の上記中間部に引っ掛け係合する場合がある（請求項２）。この場合、上記導電部材の上記中間部を上記規制部材に係合させ易い。その結果、回転灯を組み立て易くできる。
また、本発明において、上記導電部材の上記中間部および上記規制部材の少なくとも一方は、上記グローブの上記頂部に向かうにしたがって上記グローブの径方向外方へ傾斜する傾斜面を含む場合がある（請求項３）。この場合、導電部材がグローブの軸方向に移動するときに、傾斜面は、グローブの径方向外方へ導電部材の移動を案内することができる。従って、グローブの径方向内方への導電部材の中間部の移動を確実に規制することができる。
【０００７】
また、本発明において、上記導電部材は、板状部材を含む場合がある（請求項４）。この場合、上記導電部材に上記傾斜面を形成し易い。
また、本発明において、上記導電部材の上記他端部は、上記グローブの開口側の端部に上記ベース側からねじ止めにより固定される固定部を有する場合がある（請求項５）。この場合、上記固定部をグローブに容易に固定できる。また、固定するときに、導電部材をグローブの頂部側へ移動させつつ、規制部材に係合させることができる。このとき、上記傾斜面により、導電部材の中間部を径方向外方へ付勢できる。従って、導電部材の中間部の移動を確実に規制できる。
【０００８】
また、本発明において、上記グローブの上記内周には、当該グローブの径方向外方への上記導電部材の移動を規制する受け部が設けられている場合がある（請求項６）。この場合、導電部材は、グローブの径方向外方に傾斜面により付勢された状態で受けられるので、がたつきなく保持される。
また、本発明において、上記グローブの上記内周には、当該グローブの周方向に関する上記導電部材の移動を規制する周方向規制部材が設けられている場合がある（請求項７）。この場合、例えば、回転灯がグローブの周方向に振動しても、導電部材がグローブの周方向に位置ずれすることが防止される。その結果、位置ずれに起因して、規制部材と導電部材の中間部との係合が解除されることが防止される。
【０００９】
また本発明において、上記周方向規制部材が、上記グローブの上記内周から上記グローブの径方向内方へ突出するリブを含む場合がある（請求項８）。この場合、周方向規制部材の構造を簡素化できる。
また、本発明において、上記リブは、上記導電部材よりも、上記グローブの径方向内方に突出している場合がある（請求項９）。この場合、例えば、回転灯が振動したときに、反射鏡と導電部材との接触が確実に防止される。
【００１０】
また、本発明において、上記導電部材の上記他端部は、端子部を含み、上記ベースに取り付けられ上記導電部材の上記端子部と当接する端子金具がさらに備えられ、上記グローブと上記ベースとが互いに連結されるのに伴って、上記導電部材の上記端子部と上記端子金具とが、互いに電気的に接続できるように、上記導電部材の上記端子部と上記端子金具とが互いに対向して配置され且つ互いに当接している場合がある（請求項１０）。この場合、ベースとグローブとの連結と、端子部と端子金具との電気的な接続とを一括してできるので、回転灯を組み立て易い。
【発明を実施するための最良の形態】
【００１１】
以下では、本発明の実施の形態を、添付図面を参照して詳細に説明する。本実施形態では、回転灯が、取付対象部材としての車両のルーフに取り付けられる場合に則して説明する。なお、本発明はこれに限らず、例えば、取付対象部材として、車両以外の機械装置、例えば、工作機械が用いられてもよい。
図１は、本発明の一実施形態の回転灯の断面図である。図２は、図１の回転灯の右側面図であり、グローブは一点鎖線で図示されている。なお、図１は、図２のＩ−Ｉ断面を示す。
【００１２】
図１を参照して、回転灯１は、当該回転灯１の外郭を形成するケース２を有している。このケース２は、取付対象部材（例えば、車両のルーフ３）寄りに配置される有底筒状のベース４と、透光性を有する有蓋筒状のグローブ５とを有している。
回転灯１は、内部部品としての以下の各部品８〜２２を有している。回転灯１は、光源としての発光ダイオード８，９（ＬＥＤ８，９ともいう。）と、ＬＥＤ８，９から発せられた光を所定の照射方向に反射する反射鏡１０と、この反射鏡１０を回転中心軸線Ｃ１の周りに回転駆動する回転駆動機構１２と、ＬＥＤ８，９に給電するための電気部品（例えば、導電部材１３、端子金具１４、リード線１５）と、上述した内部部品８〜１０，１２〜１５を支持する複数の支持部材１６〜２２とを有している。
【００１３】
ＬＥＤ８，９が発光すると、光は反射鏡１０により反射されて、所定の照射方向に向けて照射される。光は、水平方向、斜め上方、および斜め下方に向けて照射される。このときに、反射鏡１０が回転中心軸線Ｃ１の周りに回転することにより、反射鏡１０による反射光の照射方向が変化する。その結果、光が全周に向けて照射される。
ケース２は、中空の筒形状をなしている。ケース２は、底面２４を有している。この底面２４は、ベース４により形成されている。ケース２内部に、上述の内部部品８〜１０，１２〜２２が収容されている。
【００１４】
なお、本実施形態では、回転灯１のケース２の中心軸線Ｃ２が上下方向Ｚに沿う場合に則して、回転灯１を説明する。
グローブ５は、筒部２７と、頂部２８とを有している。筒部２７は、内周２９と、外周３０とを有している。筒部２７の軸方向の一端に、頂部２８が固定されている。また、筒部２７の軸方向の他端に、開口３１が形成されている。具体的には、筒部２７と頂部２８とは、単一材料により一体に形成されている。また、グローブ５の全体が、透光性材料、例えば、合成樹脂材料としてのポリカーボネイト樹脂により形成されている。
【００１５】
グローブ５は、ベース４よりも取付対象部材から遠い側に配置されている。グローブ５の開口３１側の端部３２は、ベース４に取り付けられている。グローブ５は、ベース４に支持されている。ベース４とグローブ５とが互いに連結されることにより、ケース２が構成されている。ベース４の中心軸線と、グローブ５の中心軸線Ｃ４と、ケース２の中心軸線Ｃ２とは、互いに一致している。ケース２の中心軸線Ｃ２が、上述の回転中心軸線Ｃ１と一致しているが、平行であってもよい。
【００１６】
グローブ５の筒部２７の軸直角断面（中心軸線Ｃ４に直交する断面）の形状は、円形に近似した略円形をなしている。具体的には、筒部２７の周方向に関する円形の一部が、径方向外方に張り出している。
ベース４の軸直角断面の形状は、略円形をなしている。具体的には、周方向に関する円形の一部（複数箇所）が、径方向内方に窪んでいる。
【００１７】
なお、グローブ５の筒部２７の軸直角断面の形状は、上述の略円形に限定されず、例えば、円形でもよいし、矩形等の多角形でもよいし、多角形に近似した略多角形形状でもよい。このような筒形状の中心軸線に直交する方向を、径方向という。また、ケース２についても同様である。
ＬＥＤ８は、支持部材１６，１７，１８を介してベース４に支持されており、グローブ５内に収容されている。ＬＥＤ８は、回転中心軸線Ｃ１上において、反射鏡１０の下側の端部に配置されている。
【００１８】
ＬＥＤ９は、グローブ５の頂部２８に支持部材２１を介して取り付けられており、グローブ５内に収容されている。ＬＥＤ９は、回転中心軸線Ｃ１上において、反射鏡１０の上側の端部に配置されている。
反射鏡１０は、ベース４により回転可能に支持されており、グローブ５内に収容されている。反射鏡１０は、回転中心軸線Ｃ１の周りに回転駆動され、ＬＥＤ８，９からの光を周囲に向けて反射する。
【００１９】
支持部材１６は、ベース４に固定されており、支持部材１７，１８を介してＬＥＤ８を固定状態で支持している。支持部材１８は、例えば、回路基板からなる。
支持部材１６は、支持部材１９および支持部材２０を介して反射鏡１０を回転可能に支持している。支持部材１９は、筒状の軸受からなる。
支持部材２１は、ケース２３のグローブ５の頂部２８に固定されており、ＬＥＤ９を支持している。支持部材２１は、例えば、回路基板からなる。この回路基板の導体部分がＬＥＤ９に電気的に接続されている。また、支持部材２１には、支持部材２２が取り付けられている。この支持部材２２に導電部材１３が取り付けられている。
【００２０】
回転駆動機構１２は、駆動源としての電動モータ３５と、この電動モータ３５の出力軸の回転を反射鏡１０に伝達するための複数の動力伝達部材３６，３７，３８とを有している。複数の動力伝達部材３６，３７，３８と、支持部材２０とが、回転を伝達する伝達機構を構成している。支持部材２０が、電動モータ３５により駆動され、回転する。
複数の動力伝達部材３６，３７，３８は、互いに直径が異なる円板状の弾性部材により形成され、回転可能に支持されている。動力伝達部材３６，３７の外周同士が互いに摩擦を伴って係合することにより、回転が伝達される。動力伝達部材３７，３８は、互いに一体に回転する。動力伝達部材３８の外周が、支持部材２０の外周に摩擦を伴って係合することにより、回転が伝達される。
【００２１】
反射鏡１０は、支持部材２０と連結される環状板４１と、環状板４１の上面から上方に延設されておりＬＥＤ８の上方に臨む湾曲板４２と、湾曲板４２の上側端縁から前方に延設された平板４３と、湾曲板４２の上側端縁から上方に延設されておりＬＥＤ９の下方に臨む湾曲板４４とを有している。各板４１〜４４は、単一の材料により一体に形成されている。湾曲板４２は、ＬＥＤ８からの光を略水平方向に反射する凹湾曲面形状をなす反射面を形成している。湾曲板４４は、ＬＥＤ９からの光を略水平方向に反射する凹湾曲面形状をなす反射面を形成している。
【００２２】
電気部品は、ＬＥＤ８に電力を供給するための部品（図示せず）と、ＬＥＤ９に電力を供給するための部品（例えば、導電部材１３、端子金具１４、リード線１５等）とを有している。
例えば、ＬＥＤ９は、回路基板（支持部材２１が相当する）、リード線１５、導電部材１３、端子金具１４、リード線（図示せず）を介して外部の電源装置、例えば、車両の車載バッテリー（図示せず）に電気的に接続されている。これにより、ＬＥＤ９に電力が供給されるようになっている。
【００２３】
図１および図２を参照して、導電部材１３は、一対が設けられている。一対の導電部材１３は、互いに同じに構成されている。各導電部材１３は、金属製の長尺の板材である。導電部材１３は、当該導電部材１３の長手方向Ａ５に関する一端部４９および他端部５０を有している。
導電部材１３の一端部４９および他端部５０の間の部分は、グローブ５の頂部２８に対向する第１の部分５１と、グローブ５の内周２９に対向する第２の部分５２と、第１および第２の部分５１，５２を互いに接続する屈曲状の第３の部分５３とを有している。一端部４９、第１の部分５１、第３の部分５３、第２の部分５２、および他端部５０が、単一材料により一体に形成されている。
【００２４】
導電部材１３の一端部４９が、支持部材２１，２２を介して、グローブ５の頂部２８に取り付けられている。
導電部材１３の第１の部分５１は、上述の一端部４９につながっており、グローブ５の頂部２８に近接して配置され、グローブ５の径方向へ延びている。
導電部材１３の第３の部分５３は、第１および第２の部分５１，５２を互いに接続しており、グローブ５の軸方向Ａ４に対して斜めに延びている。
【００２５】
導電部材１３の第２の部分５２は、グローブ５の内周２９に近接して配置され、グローブ５の軸方向Ａ４に略平行に延びている。すなわち、第２の部分５２は、グローブ５の軸方向Ａ４に平行に配置されるか、または、軸方向Ａ４に対して小さな角度で傾斜して延びている。
導電部材１３の他端部５０が、グローブ５に取り付けられている。具体的には、他端部５０が、グローブ５の開口３１側の端部３２に、ねじ止めにより固定されている。
【００２６】
なお、導電部材１３の他端部５０が、ベース４に取り付けられている場合も考えられる。本実施形態では、導電部材１３の他端部５０が、グローブ５に取り付けられている場合に則して説明する。
一対の端子金具１４は、ベース４に取り付けられている。一対の端子金具１４は、互いに同じに構成されている。一方の端子金具１４と一方の導電部材１３とが、互いに対をなし、互いに電気的に接続されている。他方の端子金具１４と他方の導電部材１３とが、互いに対をなし、互いに電気的に接続されている。
【００２７】
回転灯１のケース２の底面２４が、車両のルーフ３の天面５６に、取付構造５７により取り付けられている。
取付構造５７は、上述のケース２の底面２４と、ルーフ３の天面５６と、底面２４および天面５６間に介在する複数の緩衝部材５８と、複数の緩衝部材５８をケース２の底面２４に取り付ける複数の第１の固定部材５９と、複数の緩衝部材５８をルーフ３の天面５６に取り付ける複数の第２の固定部材６０とを有している。第１および第２の固定部材５９，６０は、ボルトからなる。
【００２８】
本実施形態では、取付構造５７は、３つの緩衝部材５８を有している。各緩衝部材５８は、２つの第１の固定部材５９により回転灯１に固定されている。また、各緩衝部材５８は、１つの第２の固定部材６０によりルーフ３に固定されている。
具体的には、各緩衝部材５８は、２つの第１の挿通孔６１および１つの第２の挿通孔６２を有している。第１の固定部材５９は、緩衝部材５８の第１の挿通孔６１を挿通し、ベース４の挿通孔６３を挿通し、グローブ５のねじ孔６４にねじ嵌合している。これにより、第１の固定部材５９は、グローブ５と、ベース４と、緩衝部材５８とを共締め状態で締結している。また、ルーフ３は、金属板、例えば、鋼板により形成されている。ルーフ３には、予め定められた位置に複数、例えば、３つの挿通孔６５が形成されている。各第２の固定部材６０が、ルーフ３の挿通孔６５を挿通している。第２の固定部材６０に、ナット６６がねじ嵌合している。
【００２９】
ところで、回転灯１が車両のルーフ３に取り付けられる場合に、車両の振動に、回転灯１が共振することがある。このときに、回転灯１の反射鏡１０と導電部材１３とが互いに干渉することが懸念される。この干渉に起因して、回転灯１に故障が生じることが懸念される。
また、本実施形態では、回転灯１の振動時の反射鏡１０と導電部材１３との干渉を防止するために、一対の導電部材１３の移動を規制する一対の規制部材７０が設けられている。
【００３０】
図３は、図１の要部拡大図であり、グローブ５の側部を示す。図４は、図３に示す要部とその周辺部分とを、ケース２の中心から見た図である。
図３および図４を参照して、一対の規制部材７０は、互いに同じに構成されている。また、規制部材７０と導電部材１３とは、一つ宛が互いに対をなしている。規制部材７０と、導電部材１３の長手方向中間部７１（以下、単に中間部７１ともいう。）とは、互いに係合している。これにより、グローブ５の径方向内方Ｒ４１への中間部７１の移動が規制されるようになっている。
【００３１】
規制部材７０は、グローブ５の内面としての内周２９に設けられている。規制部材７０は、グローブ５の内周２９と単一材料により一体に形成されている。規制部材７０は、グローブ５の内周２９から径方向内方Ｒ４１に突出するとともに、規制部材７０の突出した先端部がグローブ５の軸方向Ａ４に延びている。その結果、規制部材７０は、下方に向けて開放された凹部７３を形成している。この凹部７３の縁部が、導電部材１３の中間部７１と、互いに引っ掛け係合している。
【００３２】
また、凹部７３の縁部は、傾斜面７４を有している。この傾斜面７４は、グローブ５の頂部２８に向かうにしたがってグローブ５の径方向外方Ｒ４２へ傾斜している。
また、グローブ５の軸方向Ａ４に関して、規制部材７０は、側方から見たときに、反射鏡１０の上半部としての湾曲板４４と重なり合うように配置されている（図１参照）。
図１および図３を参照して、導電部材１３の中間部７１は、上述の規制部材７０と係合する係合部としての突部７６を有している。この突部７６は、上方に向けて突出している。突部７６の先端が、規制部材７０により形成された凹部７３に入っている。規制部材７０は、グローブ５の軸方向Ａ４に関する導電部材１３の中間部７１の突部７６と、グローブ５の径方向Ｒ４１，Ｒ４２に互いに対向している。規制部材７０は、導電部材１３の中間部７１の突部７６よりも、グローブ５の径方向内方Ｒ４１に配置されている。
【００３３】
また、突部７６は、グローブ５の頂部２８に向かうにしたがってグローブ５の径方向外方Ｒ４２へ傾斜する傾斜面７７を有している。
突部７６は、導電部材１３の中間部７１の板金材料が折り返されて積層されることにより形成されてなる。すなわち、中間部７１は、グローブ５の径方向外方Ｒ４２から径方向内方Ｒ４１に向けて積層された第１、第２、および第３の板部７８，７９，８０を有している。
【００３４】
第１、第２、および第３の板部７８，７９，８０は、この順で互いに接続されており、この順に互いに逆向きに折り返されながら、連続して延びている。第１、第２、および第３の板部７８，７９，８０は、Ｚ字形形状（Ｓ字形形状でもよい。）をなしている。
第１の板部７８の下端部は、上述の他端部５０につながっている。第１の板部７８の上端部と第２の板部７９の上端部とが互いに接続されている。第２の板部７９の下端部と、第３の板部８０の下端部とが互いに接続されている。第３の板部８０の上端部が、上述の一端部４９につながっている。第１の板部７８と、第２の板部７９とが、突部７６を形成している。また、傾斜面７７は、第２の板部７９の径方向内方Ｒ４２の面により形成されている。
【００３５】
なお、本実施形態では、導電部材１３の中間部７１が傾斜面７７を有し、且つ規制部材７０が傾斜面７４を有しているが、これには限定されない。例えば、後述する変形例で説明するように、いずれか一方の傾斜面７４，７７が、設けられるようにしてもよい。本実施形態では、両傾斜面７４，７７が設けられる場合に則して説明する。
導電部材１３は、板状部材により形成されている。導電部材１３の第２の部分５２の板厚方向が、グローブ５の径方向Ｒ４１，Ｒ４２に沿うように配置されている。
【００３６】
また、導電部材１３は、断面溝形形状に形成された溝形部分８１を有している。溝形部分８１は、突部７６と他端部５０との間に配置されている。溝形部分８１により、導電部材１３の曲げ剛性が高くなる。また、組立時に、導電部材１３の他端部５０が固定されるときに、溝形部分８１が曲がり難いので、両傾斜面７４，７７が沿い易い。
溝形部分８１は、グローブ５の径方向内方Ｒ４１に向けて開放されている。溝形部分８１は、グローブ５の内周２９との間に隙間を開けて配置されている。これにより、溝形部分８１の角が、グローブ５の内周２９に接触し難くなる。従って、グローブ５の傷付きを防止できる。
【００３７】
図３および図４を参照して、本実施形態では、グローブ５の内周２９には、当該グローブ５の径方向外方Ｒ４２への導電部材１３の移動を規制可能な第１および第２の受け部８３，８４が設けられている。また、グローブ５の内周２９には、当該グローブ５の周方向Ｕ４に関する導電部材１３の中間部７１の移動を規制する周方向規制部材８５が設けられている。各導電部材１３に、第１および第２の受け部８３，８４が設けられ、これとともに、一対の周方向規制部材８５が設けられている。
【００３８】
第１の受け部８３は、導電部材１３の第２の部分５２における突部７６よりも上側の部分８７に当接可能に対向して配置されている。第１の受け部８３は、導電部材１３の上側の部分８７よりも、グローブ５の径方向外方Ｒ４２に配置されている。本実施形態では、第１の受け部８３は、導電部材１３の上側の部分８７と当接している。第１の受け部８３が導電部材１３と当接することにより、グローブ５の径方向外方Ｒ４２への導電部材１３の移動が規制される。
【００３９】
具体的には、第１の受け部８３は、グローブ５の内周２９に設けられたリブにより形成されている。このリブは、内周２９からグローブ５の径方向内方Ｒ４１へ向けて突出している。リブとグローブ５とは、単一の材料により一体に形成されている。リブは、グローブ５の軸方向Ａ４に平行にまたは概ね平行に所定長さで延びている。また、第１の受け部８３を形成する当該リブの下端部に規制部材７０が一体に形成されている。
【００４０】
また、グローブ５の周方向Ｕ４に関して、第１の受け部８３の幅Ｗ１（周方向寸法）は、導電部材１３の上側の部分８７の幅Ｗ２（周方向寸法）よりも小さくされている（Ｗ１＜Ｗ２）。第１の受け部８３は、導電部材１３の上側の部分８７における周方向中央部を受けている。
また、第２の受け部８４が、導電部材１３の第２の部分５２における突部７６よりも下側の部分８８に当接可能に対向して設けられている。第２の受け部８４は、導電部材１３の下側の部分８８よりも、グローブ５の径方向外方Ｒ４２に配置されている。本実施形態では、第２の受け部８４と導電部材１３の下側の部分８８とは、隙間を開けて対向している。第２の受け部８４が導電部材１３と当接するときには、グローブ５の径方向外方Ｒ４２への導電部材１３の移動が規制される。具体的には、第２の受け部８４は、グローブ５の内周２９における規制部材７０の下方に隣接する部分より形成されている。
【００４１】
第１および第２の受け部８３，８４の少なくとも一方が、導電部材１３と当接している場合には、導電部材１３の移動を確実に規制できる。
また、第１および第２の受け部８３，８４の両方が、導電部材１３と近接して若干の隙間を開けて配置されている場合も考えられる。この場合には、第１および第２の受け部８３，８４の少なくとも一方と導電部材１３とが互いに当接するときに、例えば、回転灯１が共振するときに、導電部材１３の移動が規制される。
【００４２】
一対の周方向規制部材８５は、グローブ５の周方向Ｕ４に関して第１の受け部８３を挟んだ両側に配置されている。一対の周方向規制部材８５は、第１の受け部８３に対向して配置された導電部材１３の上側の部分８７に、グローブ５の周方向Ｕ４に関して両側から対向している。
一対の周方向規制部材８５と、第１の受け部８３とは、溝を形成している。この溝は、グローブ５の軸方向Ａ４に延びており、グローブ５の周方向外方Ｒ４２に向けて窪んでいる。この溝は、導電部材１３の上側の部分８７を収容している。組立時に、溝は、導電部材１３の移動を案内できる。これにより、規制部材７０と導電部材１３の突部７６とが係合し易くなる。
【００４３】
各周方向規制部材８５は、導電部材１３の上側の部分８７よりも、グローブ５の径方向内方Ｒ４１に突出している。
各周方向規制部材８５は、グローブ５の軸方向Ａ４に関して、第１の受け部８３の上端部よりも上方へ延びるとともに、第１の受け部８３の下端部よりも下方に延びている。
具体的には、各周方向規制部材８５は、グローブ５の内周２９に設けられたリブにより形成されている。このリブは、内周２９からグローブ５の径方向内方Ｒ４１へ向けて突出している。これらのリブとグローブ５とは、単一の材料により一体に形成されており、グローブ５の軸方向Ａ４に平行にまたは概ね平行に所定長さで延びている。一対の周方向規制部材８５を形成する一対のリブと、第１の受け部８３を形成するリブとは、グローブ５の周方向Ｕ４に、互いに近接して並んでいる。
【００４４】
図１，図３および図４を参照して、導電部材１３がグローブ５に取り付けられた状態において、導電部材１３の突部７６の傾斜面７７と、規制部材７０の傾斜面７４とが、互いに当接している。これにより、導電部材１３は、グローブ５の径方向内方Ｒ４１および軸方向Ａ４上方に位置決めされている。また、導電部材１３の上側の部分８７と、第１の受け部８３とが、互いに当接している。これにより、導電部材１３は、グローブ５の径方向外方Ｒ４２に位置決めされている。また、一対の周方向規制部材８５が、グローブ５の周方向Ｕ４の双方向に関する導電部材１３の移動を規制している。また、導電部材１３の一端部４９および他端部５０が、グローブ５の軸方向Ａ４の下方に位置決めされている。これにより、導電部材１３の中間部７１の移動は、全方向に関して規制されている。
【００４５】
また、本実施形態では、グローブ５とベース４とが互いに連結されるのに伴って、導電部材１３と端子金具１４とが、互いに電気的に接続できるようになっている。
図５は、図１の回転灯１のケース２の分解斜視図である。図１および図５を参照して、ベース４とグローブ５とは、互いに位置合わせされた状態で、互いに連結されている。
グローブ５の径方向Ｒ４１，Ｒ４２に関して、ベース４とグローブ５とを互いに位置合わせするために、ベース４の嵌合面９１と、グローブ５の嵌合面９２とが互いに嵌合している。両嵌合面９１，９２は、グローブ５の径方向Ｒ４１，Ｒ４２に互いに対向している。両嵌合面９１，９２が互いに嵌合した状態で、ベース４とグローブ５とが同心に配置されている。
【００４６】
グローブ５の軸方向Ａ４に関して、ベース４とグローブ５とを互いに位置合わせするために、ベース４の連結面９４と、グローブ５の連結面９５とが互いに当接している。両連結面９４，９５のそれぞれは、環状に形成されている。両連結面９４，９５は、グローブ５の軸方向Ａ４に互いに対向している。両連結面９４，９５が互いに当接した状態で、グローブ５の軸方向Ａ４に関して、ベース４とグローブ５とが互いに位置合わせされている。
【００４７】
グローブ５の周方向Ｕ４に関して、ベース４とグローブ５とを互いに位置合わせするために、ベース４の２つの係合部９７，９８と、グローブ５の２つの係合部９９，１００とが互いに係合している。対をなす係合部９７，９９が互いに係合し、且つ対をなす係合部９８，１００が互いに係合している。この状態で、グローブ５の周方向Ｕ４の両側に関して、ベース４とグローブ５とが互いに位置合わせされている。
【００４８】
例えば、ベース４の２つの係合部９７，９８は、ベース４の溝状の凹部に形成されている。グローブ５の係合部９９，１００は、グローブ５の内周２９からグローブ５の径方向内方Ｒ４１に突出する突部に形成されている。この突部と凹部とが、グローブ５の軸方向Ａ４に沿って互いに近接し、互いに凹凸係合するようになっている。なお、ベース４とグローブ５との凹凸係合の凹凸関係は逆にしてもよい。また、ベース４とグローブ５との係合部は、少なくとも２対があればよい。
【００４９】
ベース４とグローブ５とを連結するには、ベース４とグローブ５とグローブ５の軸方向Ａ４に沿って互いに近接させるようにする。このとき、ベース４とグローブ５との嵌合面９１，９２を互いに嵌合させる。また、ベース４とグローブ５との係合部９７，９９および係合部９８，１００を互いに係合させる。また、ベース４とグローブ５との連結面９４，９５を互いに当接させる。これにより、ベース４とグローブ５とが、互いに位置合わせされる。
【００５０】
このようにベース４とグローブ５とが互いに位置合わせされた状態で連結されたときに、端子金具１４と導電部材１３とが、互いに電気的に接続されるようになっている。
図６は、図１の要部拡大図であり、グローブ５の下部を示す。図７は、図６に示す要部を、ケース２の中心から見た図である。図８は、図６に示す要部の分解斜視図である。
図６および図８を参照して、導電部材１３の他端部５０は、グローブ５に固定される固定部１０３を有している。固定部１０３は、板状に形成されている。この固定部１０３は、上述の第２の部分５２の下端部に屈曲状に接続されている。固定部１０３の板面は、グローブ５の軸方向Ａ４に直交するように配置されている。固定部１０３には、挿通孔１０４が形成されている。この挿通孔１０４に、固定ボルト１０６が挿通している。
【００５１】
また、グローブ５の開口３１側の端部３２には、導電部材１３の固定部１０３を受ける受け座１０７が設けられている。この受け座１０７は、グローブ５の軸方向Ａ４に直交する平面に形成されている。受け座１０７には、ねじ孔１０８が形成されている。このねじ孔１０８は、ベース４側に開口している。
固定部１０３は、受け座１０７にベース４側から取り付けられる。固定ボルト１０６が、ベース４側から固定部１０３の挿通孔１０４に挿通されている。固定ボルト１０６の雄ねじが、受け座１０７に設けられたねじ孔１０８の雌ねじにねじ嵌合している。これにより、固定部１０３は、ねじ止め固定される。
【００５２】
図７および図８を参照して、導電部材１３の他端部５０は、端子部１１０を有している。端子部１１０は、板状に形成されている。端子部１１０は、固定部１０３の一縁から屈曲されてグローブ５の軸方向Ａ４に延び、片持ち状態で支持されており、弾性曲げ変形可能とされている。端子部１１０の板面は、グローブ５の軸方向Ａ４に平行であり、且つグローブ５の径方向Ｒ４１，Ｒ４２に平行である。端子部１１０と端子金具１４とは、互いに接触している。これにより、端子部１１０と端子金具１４とが互いに電気的に接続される。
【００５３】
図６および図８を参照して、端子金具１４は、ベース４に固定するための固定部１１２を有している。この固定部１１２が、ベース４の取り付け座１１３に、固定ボルト１１４を用いて取り付けられている。
図７および図８を参照して、端子金具１４は、端子部１１６とを有している。端子部１１６は、互いに対向する第１および第２の板辺１１７，１１８を含んでいる。第１の板辺１１７の上端部は、固定部１１２につながっており、固定部１１２を介して固定されている。第１および第２の板辺１１７，１１８の下端部同士は、互いに折り返し状に接続されている。第１および第２の板辺１１７，１１８は、その間に導電部材１３の端子部１１０を挟んでおり、この端子部１１０を両側から弾性的に押圧している。
【００５４】
図１および図２を参照して、導電部材１３は、例えば、以下のようにしてグローブ５に組み付けられる。
組立時には、先ず、各導電部材１３の一端部４９が回路基板（支持部材２１に相当する。）に接続される。これにより、一対の導電部材１３と支持部材２１とが単一のユニットを構成する。このユニットをグローブ５に以下のように取り付ける。
【００５５】
支持部材２１をグローブ５の奥へ入れる。このとき、ユニットの一対の導電部材１３を、グローブ５の周方向Ｕ４に概ね位置合わせする。
図３および図４を参照して、例えば、各導電部材１３を、対応する第１の受け部８３と一対の周方向規制部材８５とにより位置合わせする。互いに対応する導電部材１３の突部７６と規制部材７０とを係合させる。
【００５６】
図１および図６を参照して、次に、固定ボルト１０６を用いて、導電部材１３の固定部１０３をグローブ５の受け座１０７に取り付ける。この状態で、ユニットの支持部材２１がグローブ５の頂部２８にねじ止め固定される。
図９は、図１の導電部材１３を組み付けるときの状態を示す模式図であり、（ａ）に固定前の状態を、（ｂ）に固定された状態を示す。図９を参照して、本実施形態では、導電部材１３の固定部１０３をグローブ５の受け座１０７に固定ボルト１０６により固定するときに、以下のように、導電部材１３の中間部７１を径方向外方に押圧できるようになっている。
【００５７】
図９（ａ）を参照して、先ず、組立途中において、導電部材１３の固定部１０３をグローブ５の受け座１０７に対向させる。このとき、導電部材１３は、まだ、固定されておらず、グローブ５の軸方向Ａ４に移動可能である。
図９（ｂ）を参照して、固定ボルト１０６を用いて、導電部材１３の固定部１０３をグローブ５の受け座１０７に締め付ける。固定ボルト１０６がねじ孔１０８にねじ嵌合するのに伴い、固定ボルト１０６は導電部材１３の固定部１０３をグローブ５の軸方向Ａ４に沿って上方へ移動させる。このとき、導電部材１３の中間部７１の傾斜面７７と、規制部材７０の傾斜面７４とが、互いに沿いながら相対移動する。これに伴い、導電部材１３の中間部７１は、グローブ５の径方向外方Ｒ４２へ移動する。その結果、導電部材１３は、押圧状態で第１の受け部８３により受けられるようになる。
【００５８】
以上説明したように、本実施形態の回転灯１は、（ａ１）ベース４と、（ａ２）このベース４に取り付けられ透光性を有する有蓋筒状のグローブ５と、（ａ３）このグローブ５の頂部２８に取り付けられグローブ５内に収容された光源としてのＬＥＤ８，９と、（ａ４）ベース４により支持されグローブ５内に収容されており、グローブ５の軸方向Ａ４に延びる回転中心軸線Ｃ１の周りに回転駆動され、光源としてのＬＥＤ８，９からの光を周囲に向けて反射する反射鏡１０と、（ａ５）グローブ５の内周２９に近接して配置され、グローブ５の軸方向Ａ４に延びており、一端部４９がグローブ５に取り付けられ、他端部５０がグローブ５およびベース４のいずれかに取り付けられており、光源としてのＬＥＤ８，９に給電するための導電部材１３と、（ａ６）グローブ５の内周２９に設けられ、導電部材１３の中間部７１と係合し、この中間部７１がグローブ５の径方向内方Ｒ４１に移動することを規制する規制部材７０と、を備えることを特徴とする。
【００５９】
本実施形態によれば、例えば、回転灯１が振動したときに、導電部材１３と反射鏡１０との干渉が防止されるので、この干渉に起因した故障が生じる虞はない。従って、回転灯１を故障し難くできる。
また、本実施形態において、規制部材７０は、導電部材１３の中間部７１に引っ掛け係合するようにしている。この場合、導電部材１３の中間部７１を規制部材７０に係合させ易い。その結果、回転灯１を組み立て易くできる。
【００６０】
また、本実施形態において、導電部材１３の中間部７１および規制部材７０の少なくとも一方は、グローブ５の頂部２８に向かうにしたがってグローブ５の径方向外方へ傾斜する傾斜面７４，７７を含むようにしている。
この場合、導電部材１３がグローブ５の軸方向Ａ４に移動するときに、傾斜面７４，７７は、グローブ５の径方向外方Ｒ４２へ導電部材１３の移動を案内することができる。従って、グローブ５の径方向内方Ｒ４１への導電部材１３の中間部７１の移動を確実に規制することができる。
【００６１】
また、本実施形態において、導電部材１３は、板状部材を含むようにしている。この場合、導電部材１３に傾斜面７７を形成し易い。
また、本実施形態において、導電部材１３の他端部５０は、グローブ５の開口３１側の端部３２にベース４側からねじ止めにより固定される固定部１０３を有するようにしている。この場合、固定部１０３をグローブ５に容易に固定できる。また、固定するときに、導電部材１３をグローブ５の頂部２８側へ移動させつつ、規制部材７０に係合させることができる。このとき、傾斜面７７により、導電部材１３の中間部７１を径方向外方へ付勢できる。従って、導電部材１３の中間部７１の移動を確実に規制できる。
【００６２】
また、本実施形態において、グローブ５の内周２９には、当該グローブ５の径方向外方Ｒ４２への導電部材１３の移動を規制する第１および第２の受け部８３，８４が設けられているようにしている。この場合、導電部材１３は、グローブ５の径方向外方Ｒ４２に傾斜面７７により付勢された状態で受けられるので、がたつきなく保持される。
また、第１の受け部８３に受けられた導電部材１３が、グローブ５の内周２９との間に隙間を開けてある場合には、導電部材１３がグローブ５の内周２９に接触することが防止されるので、グローブ５の内周２９の傷付きの発生が防止される。
【００６３】
また、本実施形態において、グローブ５の内周２９には、当該グローブ５の周方向Ｕ４に関する導電部材１３の移動を規制する周方向規制部材８５が設けられているようにしている。この場合、例えば、回転灯１がグローブ５の周方向Ｕ４に振動しても、導電部材１３がグローブ５の周方向Ｕ４に位置ずれすることが防止される。その結果、位置ずれに起因して、規制部材７０と導電部材１３の中間部７１との係合が解除されることが防止される。
【００６４】
また、周方向規制部材８５が、規制部材７０に近接している場合には、周方向規制部材８５により導電部材１３を案内しつつ、導電部材１３の中間部７１を規制部材７０に係合させることが可能となる。従って、係合し易くなる。
また本実施形態において、周方向規制部材８５が、グローブ５の内周２９からグローブ５の径方向内方Ｒ４１へ突出するリブを含むようにしている。この場合、周方向規制部材８５の構造を簡素化できる。
【００６５】
また、本実施形態において、リブは、導電部材１３よりも、グローブ５の径方向内方Ｒ４１に突出しているようにしている。この場合、例えば、回転灯１が振動したときに、反射鏡１０と導電部材１３との接触が確実に防止される。
また、本実施形態において、導電部材１３の他端部５０は、端子部１１０を含んでいる。ベース４に取り付けられ導電部材１３の端子部１１０と当接する端子金具１４がさらに備えられている。グローブ５とベース４とが互いに連結されるのに伴って、導電部材１３の端子部１１０と端子金具１４とが、互いに電気的に接続できるように、導電部材１３の端子部１１０と端子金具１４とが互いに対向して配置され且つ互いに当接しているようにしている。この場合、ベース４とグローブ５との連結と、端子部１１０と端子金具１４との電気的な接続とを一括してできるので、回転灯１を組み立て易い。
【００６６】
また、本実施形態について、以下のような変形例を考えることができる。以下の説明では、上述の実施形態と異なる点を中心に図示して、この点を主に説明する。他の構成については、説明を省略するが、上述の実施形態と同様であり、同一符号を付してある。
例えば、図１０（ａ）は、導電部材１３の第１の変形例および規制部材７０の断面図であり、図１０（ｂ）は、図１０（ａ）に示す導電部材１３の斜視図である。図１０を参照して、導電部材１３Ａは、上述の導電部材１３に代えて用いられている。導電部材１３Ａは、以下の点で導電部材１３と異なり、他の構成については同じとされている。
【００６７】
導電部材１３Ａは、規制部材７０と係合する係合部として、切り起こし状に形成され上方に向けて突出する突部７６Ａを有している。この突部７６Ａは、傾斜面７７を形成している。
図１１（ａ）は、導電部材１３の第２の変形例および規制部材７０の断面図であり、図１１（ｂ）は、図１１（ａ）に示す導電部材１３の斜視図である。図１１を参照して、導電部材１３Ｂは、上述の導電部材１３に代えて用いられている。導電部材１３Ｂは、以下の点で導電部材１３と異なり、他の構成については同じとされている。
【００６８】
導電部材１３Ｂは、規制部材７０と係合する係合部として、切り起こし状に形成され上方に向けて突出する突部７６Ｂを有している。この突部７６Ｂは、鉤状に形成されている。突部７６Ｂの角が、規制部材７０の傾斜面７４に当接している。
図１２は、規制部材７０の第１の変形例と導電部材１３の断面図である。図１２を参照して、規制部材７０Ａが、上述の規制部材７０に代えて用いられている。規制部材７０Ａは、以下の点で規制部材７０と異なり、他の構成については同じとされている。
【００６９】
規制部材７０Ａの凹部７３Ａの側面は、グローブ５の軸方向Ａ４にほぼ平行に延びている。凹部７３Ａの縁部が、導電部材１３の傾斜面７７に当接している。
また、図示しないが、規制部材７０Ａと導電部材１３Ａとが互いに係合する場合や、規制部材７０Ａと導電部材１３Ｂとが互いに係合する場合も考えられる。
また、上述の各実施形態において、以下の変形例も考えられる。すなわち、グローブ５の頂部２８と筒部２７とが、互いに別体で形成され、互いに固定される場合も考えられる。また、筒部２７が透光性を有し、頂部２８が透光性を有していない場合も考えられる。要は、グローブ５は、有蓋筒状をなし、少なくとも一部が透光性を有しており、ベース４に取り付けられる部材であればよい。
【００７０】
また、ケース２の底面２４は、直接に取付対象部材に固定される場合も考えられる。また、光源としては、グローブ５の頂部２８に取り付けられた光源があればよい。また、光源としては、発光ダイオードに代えて、電球等を用いてもよい。その他、特許請求の範囲に記載された事項の範囲内で種々の変更を施すことができる。
【図面の簡単な説明】
【００７１】
【図１】本発明の一実施形態の回転灯の断面図であり、図２のＩ−Ｉ断面を示す。
【図２】図１の回転灯の右側面図であり、グローブは一点鎖線で図示されている。
【図３】図１の要部拡大図であり、グローブの側部を示す。
【図４】図３に示す要部とその周辺部分とを、ケースの中心から見た図である。
【図５】図１の回転灯のケースの分解斜視図である。
【図６】図１の要部拡大図であり、グローブの下部を示す。
【図７】図６に示す要部を、ケースの中心から見た図である。
【図８】図６に示す要部の分解斜視図である。
【図９】図１の導電部材を組み付けるときの状態を示す模式図であり、（ａ）に固定前の状態を、（ｂ）に固定された状態を示す。
【図１０】図１０（ａ）は、導電部材の第１の変形例および規制部材の断面図であり、図１０（ｂ）は、図１０（ａ）に示す導電部材の斜視図である。
【図１１】図１１（ａ）は、導電部材の第２の変形例および規制部材の断面図であり、図１１（ｂ）は、図１１（ａ）に示す導電部材の斜視図である。
【図１２】規制部材の第１の変形例と導電部材の断面図である。
【符号の説明】
【００７２】
１…回転灯
４…ベース
５…グローブ
９…発光ダイオード（光源）
１０…反射鏡
１３…導電部材
１４…端子金具
２８…グローブの頂部
２９…グローブの内周
３１…グローブの開口
３２…グローブの開口側の端部
４９…導電部材の一端部
５０…導電部材の他端部
７０…規制部材
７１…導電部材の長手方向中間部
７７…傾斜面
８３…第１の受け部
８４…第２の受け部
８５…周方向規制部材（リブ）
１０３…固定部
１１０…端子部
Ａ４…グローブの軸方向
Ａ５…導電部材の長手方向
Ｃ１…回転中心軸線
Ｒ４１…グローブの径方向内方
Ｒ４２…グローブの径方向外方。
【図１】
2010003566.tif 000003
【図２】
2010003566.tif 000004
【図３】
2010003566.tif 000005
【図４】
2010003566.tif 000006
【図５】
2010003566.tif 000007
【図６】
2010003566.tif 000008
【図７】
2010003566.tif 000009
【図８】
2010003566.tif 000010
【図９】
2010003566.tif 000011
【図１０】
2010003566.tif 000012
【図１１】
2010003566.tif 000013
【図１２】
2010003566.tif 000014